(57)【要約】【課題】圧縮をともなうムーブを行った場合でも、逆ムーブにより元の情報に復元することが可能な情報伝送装置を提供する。【解決手段】本発明の情報伝送装置は、第１の情報記録装置に記録された情報を第２の情報記録装置へ伝送する情報伝送装置であって、第１の情報記録装置３４に記録された情報を受け取って、情報よりも情報量の少ない圧縮情報を生成し、第２の情報記録装置４へ送出する圧縮部３２と、所定の暗号鍵を生成し、暗号鍵を第２の情報記録装置４へ送出するともに、第１の情報記録装置３４に記録された情報を暗号鍵によって暗号化し、暗号化された情報を第１の情報記録装置３４へ送出する暗号化部３３と、第１の伝送指令に基づき圧縮部および暗号化部３３を制御し、第１の情報記録装置３４に記録された情報を消去させる第１の消去指令を第１の情報記録装置へ送出するコントローラ３０とを備えている。【選択図】図１
2005158233.tif 000002
【特許請求の範囲】
【請求項１】
第１の情報記録装置に記録された情報を第２の情報記録装置へ伝送する情報伝送装置であって、
第１の情報記録装置に記録された情報を受け取って、前記情報よりも情報量の少ない圧縮情報を生成し、第２の情報記録装置へ送出する圧縮部と、
所定の暗号鍵を生成し、前記暗号鍵を前記第２の情報記録装置へ送出するともに、前記第１の情報記録装置に記録された情報を前記暗号鍵によって暗号化し、暗号化された情報を前記第１の情報記録装置へ送出する暗号化部と、
第１の伝送指令に基づき前記圧縮部および暗号化部を制御し、前記第１の情報記録装置に記録された情報を消去させる第１の消去指令を前記第１の情報記録装置へ送出するコントローラと、
を備えた情報伝送装置。
【請求項２】
前記第１の情報記録装置および前記第２の情報記録装置から前記暗号化された情報および前記暗号鍵をそれぞれ受け取り、前記暗号鍵を用いて前記暗号化された情報を復号し、前記第１の情報記録装置へ送出する復号化部をさらに備え、
前記コントローラは、第２の伝送指令に基づき復号化部を制御し、前記第１の情報記録装置に記録された暗号化された情報を消去させる第２の消去指令および前記第２の情報記録装置に記録された圧縮情報および暗号鍵を消去させる第３の消去指令をそれぞれ前記第１および第２の情報記録装置へ送出する請求項１に記載の情報伝送装置。
【請求項３】
時間を計測するタイマーをさらに有し、前記コントローラは、タイマーによる計時に基づき、第１の伝送指令を受け取った後、所定の時間内に第２の伝送指令を受け取らない場合、前記第１の情報記録装置に記録された暗号化された情報を消去させる第４の消去指令を前記第１の情報記録装置へ送出する請求項２に記載の情報伝送装置。
【請求項４】
前記暗号鍵は、前記圧縮情報の一部と置き換えられ、前記第２の情報記録装置へ送出される請求項１に記載の情報伝送装置。
【請求項５】
前記暗号鍵は、前記圧縮情報に基づいて決定される請求項１に記載の情報伝送装置。
【請求項６】
前記第１の情報記録装置に記録された情報はデジタル情報である請求項１に記載の情報伝送装置。
【請求項７】
前記第１の情報記録装置に記録された情報は映像音声情報である請求項１に記載の情報伝送装置。
【請求項８】
前記第１の情報記録装置は、ハードディスクドライブであり、前記第２の情報記録装置は、光ディスクドライブである請求項１に記載の情報伝送装置。
【請求項９】
前記圧縮部は、前記第１の情報記録装置に記録された情報をデコードし、前記第１の情報記録装置に記録されていたときの圧縮率よりも高い圧縮率で前記デコードした情報をエンコードする請求項１に記載の情報伝送装置。
【請求項１０】
放送を受信する受信部と、所定の暗号鍵を生成し、前記受信部で受信した放送の情報を前記暗号鍵によって暗号化し、暗号化された情報を生成する暗号化部と、前記暗号化させた情報を記録する第１の情報記録装置とを備えた第１のサーバであって、前記受信部で受信した放送の情報および前記暗号鍵をネットワーク上に送出する第１のサーバ、および
情報を記録するための第２の情報記録装置を備え、前記ネットワークに接続された第２のサーバであって、前記ネットワークを介して前記第１のサーバから送出された情報および暗号鍵を前記第２の情報記録装置に記録する第2のサーバ、
を備えたビデオサーバシステム。
【請求項１１】
前記第１のサーバは、前記第２のサーバから前記第２の情報記録装置に記録された前記暗号鍵を受け取り、前記暗号鍵を用いて前記第１の情報記録装置に記録された前記暗号化された情報を復号する復号化部をさらに備える請求項１０に記載のビデオサーバシステム。
【請求項１２】
情報を圧縮して伝送する情報伝送装置であって、
所定の暗号鍵を生成し、前記暗号鍵を用いて情報を暗号化し、暗号化された情報および前記暗号鍵を第１の情報記録装置および第２の情報記録装置へ送出する暗号化部と、
前記情報を受け取って、前記情報よりも情報量の少ない圧縮情報を生成し、前記第２の情報記録装置へ送出する圧縮部と、
を備えた情報伝送装置。
【請求項１３】
第１の情報記録装置に記録された情報を第２の情報記録装置へ伝送する情報伝送プログラムであって、
第１の情報記録装置に記録された情報を受け取って、前記情報よりも情報量の少ない圧縮情報を生成し、第２の情報記録装置へ送出するステップと、
所定の暗号鍵を生成し、前記暗号鍵を前記第２の情報記録装置へ送出ステップと、
前記第１の情報記録装置に記録された情報を前記暗号鍵によって暗号化し、暗号化された情報を前記第１の情報記録装置へ送出するステップと、
前記第１の情報記録装置に記録された情報を消去させる第１の消去指令を前記第１の情報記録装置へ送出するステップと、
を包含する情報伝送プログラム。
【請求項１４】
前記第１の情報記録装置および前記第２の情報記録装置から前記暗号化された情報および前記暗号鍵をそれぞれ受け取り、前記暗号鍵を用いて前記暗号化された情報を復号するステップと、
前記復号化された情報を前記第１の情報記録装置へ送出するステップと、
前記第１の情報記録装置に記録された暗号化された情報を消去させる第２の消去指令を前記第１の情報記録装置へ送出するステップと、
前記第２の情報記録装置に記録された圧縮情報および暗号鍵を消去させる第３の消去指令を前記第２の情報記録装置へ送出するステップと、
をさらに包含する請求項１３に記載の情報伝送プログラム。
【請求項１５】
前記第１の消去指令を前記第１の情報記録装置へ送出するステップを実行し、所定の時間を経過した後、前記第１の情報記録装置に記録された暗号化された情報を消去させる第４の消去指令を前記第１の情報記録装置へ送出するステップをさらに包含する請求項１３に記載の情報伝送プログラム。
【請求項１６】
前記暗号鍵は、前記圧縮情報の一部と置き換えられ、前記第２の情報記録装置へ送出される請求項１３に記載の情報伝送プログラム。
【請求項１７】
前記暗号鍵は、前記圧縮情報に基づいて決定される請求項１３に記載の情報伝送プログラム。
【請求項１８】
前記第１の情報記録装置に記録された情報はデジタル情報である請求項１３に記載の情報伝送プログラム。
【請求項１９】
前記第１の情報記録装置に記録された情報は映像音声情報である請求項１３に記載の情報伝送プログラム。
【請求項２０】
前記第１の情報記録装置は、ハードディスクドライブであり、前記第２の情報記録装置は、光ディスクドライブである請求項１３に記載の情報伝送プログラム。
【請求項２１】
前記圧縮情報を生成し、第２の情報記録装置へ送出するステップは、前記第１の情報記録装置に記録された情報をデコードし、前記第１の情報記録装置に記録されていたときの圧縮率よりも高い圧縮率で前記デコードした情報をエンコードする請求項１３に記載の情報伝送プログラム。
【発明の詳細な説明】
【技術分野】
【０００１】
本発明は、情報を圧縮して伝送する情報伝送装置に関し、特に、光ディスクドライブやハードディスクドライブを含むビデオレコーダ、および複数のビデオレコーダをネットワークで接続した分散型ビデオサーバシステムに関する。
【背景技術】
【０００２】
近年、ビデオテープレコーダに替わる映像記録装置として、記録型ＤＶＤ等のディスク状の光記録媒体（以下、光ディスクと呼ぶ）を用いた光ディスクレコーダが普及しつつある。光ディスクは、デジタル化された映像情報や音声情報を記録するための平面状のデータ記録面を有し、記録および再生を行う光ヘッドは、データ記録面の任意の位置へ数秒以内にアクセスすることができる。このため、光ディスクに複数の映像情報が記録されていても任意の映像情報を短時間で再生することができる。また、記録媒体である光ディスクは交換することができるため、光ディスクレコーダに記録容量の制限はない。こうした光ディスクの特徴を生かした新しい技術が提案されている。
【０００３】
たとえば、特許文献１は、光ディスクに番組録画予約に関する情報を記録することを提案している。光ディスクに番組録画予約に関する情報が記録されている場合、光ディスクレコーダは挿入された光ディスクからその情報を読み取り、読み取った情報に基づいて、内蔵のＴＶチューナーおよび光ディスクドライブが予約された時間に所定の番組を録画するよう、タイマー予約を行う。
【０００４】
予約後、予約を行った光ディスクレコーダから光ディスクを取り出しても、予約情報は取り出した光ディスクに固定されている。このため、取り出した光ディスクを他の光ディスクレコーダコーダーに挿入すると、その光ディスクレコーダコーダーは、光ディスクに記録された予約情報を読み取り、読み取った情報に基づいて、挿入された光ディスクに対する番組の予約を行うことができる。この技術によれば、番組録画の予約は光ディスクに記録された情報に基づいて行われるので、他の光ディスクレコーダにおいて再度、番組録画の予約を行う必要がなくなる。
【０００５】
また、光ディスクは、コンピュータの記録媒体としても利用されており、コンピュータシステムとデータをやり取りすることが容易である。このため、特許文献２は光ディスクを交換可能な大容量記録媒体とし、複数の光ディスクレコーダを、ネットワークで接続することによりいわゆる分散型サーバとして機能させることを提案している。さらに、特許文献３は、ＴＶ番組の録画に特殊化した形態として、ネットワーク上の他の機器のチューナを利用し、複数のチャンネルの番組を同時に録画することが可能なシステムを開示している。
【０００６】
また、特許文献４は、ビデオコンテンツの著作権保護の観点から、サーバ間でムーブされるデジタル映像もしくはデジタル音声情報を暗号化することを提案している。ここでムーブとは、録画番組等のデジタル情報を一方の記録装置（たとえば、ハードディスクドライブ）から他の記録装置（たとえば光ディスクドライブ）へ転送させる際、併せて転送元の情報を消去する転送処理を言う。特許文献５は、たとえば、ハードディスクドライブから光ディスクへムーブさせた情報を再び元の記録装置へ戻す場合、ハードディスクドライブ上の元に記録されていた場所に情報を戻すことによって、情報のアクセスパフォーマンスをムーブ前と同等に（ムーブしなかったのと同等に）にする技術を開示している。
【特許文献１】特開平１１−２６００４３号公報
【特許文献２】特開平１２−９０５７５号公報
【特許文献３】特開平１３−２６８４６１号公報
【特許文献４】特開平１２−３２２８２６号公報
【特許文献５】特開平１３−７６４６４号公報
【発明の開示】
【発明が解決しようとする課題】
【０００７】
しかしながら、ムーブによって情報を移動させる２つの記録媒体の記録容量や、１つの記録媒体を制御するシステムの処理能力は同じであるとは限らない。このため、ムーブの際に圧縮あるいはダウンコンバートが必要となる場合がある。たとえば、ＤＶＤディスクはＨＤ（High Definition）解像度のデジタル映像音声情報をサポートしていない。このため、容量が２０ＧＢであり、ハードディスクドライブに保存されたＨＤ（High Definition）解像度のデジタル映像音声情報を容量が４．７ＧＢのＤＶＤディスク１枚にムーブする場合、ダウンコンバートによって情報量を圧縮する必要がある。この場合、ＤＶＤディスクにムーブされた情報はＳＤ（Standard Definition）解像度に低下してしまう。ここで、圧縮とは元の情報から、圧縮により情報量の小さい情報を生成することを言う。この圧縮は非可逆である。
【０００８】
ユーザは、ＤＶＤディスクがＨＤ解像度をサポートしていないことを認識しているので、ムーブを行う際に画像が劣化することに問題はない。しかし、ＤＶＤディスクに記録されたデジタル映像音声情報を再びＨＤ解像度で視聴したい場合、問題が生じる。ハードディスクドライブに記録されていたデジタル映像音声情報は消去されており、ＤＶＤディスクに記録されたデジタル映像音声情報はＳＤ解像度に変換されているからである。
【０００９】
このため、従来の技術によれば、ムーブによって一度圧縮されたデジタル映像音声情報は、再び元の解像度で視聴することができない。
【００１０】
本発明は、このような従来の課題を解決し、一度圧縮された情報を元の情報に復元することが可能な情報伝送装置、情報伝送プログラムおよびビデオサーバシステムを提供する。
【課題を解決するための手段】
【００１１】
本発明の情報伝送装置は、第１の情報記録装置に記録された情報を第２の情報記録装置へ伝送する情報伝送装置であって、第１の情報記録装置に記録された情報を受け取って、前記情報よりも情報量の少ない圧縮情報を生成し、第２の情報記録装置へ送出する圧縮部と、所定の暗号鍵を生成し、前記暗号鍵を前記第２の情報記録装置へ送出するともに、前記第１の情報記録装置に記録された情報を前記暗号鍵によって暗号化し、暗号化された情報を前記第１の情報記録装置へ送出する暗号化部と、第１の伝送指令に基づき前記圧縮部および暗号化部を制御し、前記第１の情報記録装置に記録された情報を消去させる第１の消去指令を前記第１の情報記録装置へ送出するコントローラとを備えている。
【００１２】
ある好ましい実施形態において、情報伝送装置は、前記第１の情報記録装置および前記第２の情報記録装置から前記暗号化された情報および前記暗号鍵をそれぞれ受け取り、前記暗号鍵を用いて前記暗号化された情報を復号し、前記第１の情報記録装置へ送出する復号化部をさらに備え、前記コントローラは、第２の伝送指令に基づき復号化部を制御し、前記第１の情報記録装置に記録された暗号化された情報を消去させる第２の消去指令および前記第２の情報記録装置に記録された圧縮情報および暗号鍵を消去させる第３の消去指令をそれぞれ前記第１および第２の情報記録装置へ送出する。
【００１３】
ある好ましい実施形態において、情報伝送装置は、時間を計測するタイマーをさらに備え、前記コントローラは、タイマーによる計時に基づき、第１の伝送指令を受け取った後、所定の時間内に第２の伝送指令を受け取らない場合、前記第１の情報記録装置に記録された暗号化された情報を消去させる第４の消去指令を前記第１の情報記録装置へ送出する。
【００１４】
ある好ましい実施形態において、前記暗号鍵は、前記圧縮情報の一部と置き換えられ、前記第２の情報記録装置へ送出される。
【００１５】
ある好ましい実施形態において、前記暗号鍵は、前記圧縮情報に基づいて決定される。
【００１６】
ある好ましい実施形態において、前記第１の情報記録装置に記録された情報はデジタル情報である。
【００１７】
ある好ましい実施形態において、前記第１の情報記録装置に記録された情報は映像音声情報である。
【００１８】
ある好ましい実施形態において、ハードディスクドライブであり、前記第２の情報記録装置は、光ディスクドライブである。
【００１９】
ある好ましい実施形態において、前記圧縮部は、前記第１の情報記録装置に記録された情報をデコードし、前記第１の情報記録装置に記録されていたときの圧縮率よりも高い圧縮率で前記デコードした情報をエンコードする。
【００２０】
本発明のビデオサーバシステムは、放送を受信する受信部と、定の暗号鍵を生成し、前記受信部で受信した放送の情報を前記暗号鍵によって暗号化し、暗号化された情報を生成する暗号化部と、前記暗号化させた情報を記録する第１の情報記録装置とを備えた第１のサーバであって、前記受信部で受信した放送の情報および前記暗号鍵をネットワーク上に送出する第１のサーバ、および、情報を記録するための第２の情報記録装置を備え、前記ネットワークに接続された第２のサーバであって、前記ネットワークを介して前記第１のサーバから送出された情報および暗号鍵を前記第２の情報記録装置に記録する第２のサーバを備える。
【００２１】
ある好ましい実施形態において、前記第１のサーバは、前記第２のサーバから前記第２の情報記録装置に記録された前記暗号鍵を受け取り、前記暗号鍵を用いて前記第１の情報記録装置に記録された前記暗号化された情報を復号する復号化部をさらに備える。
【００２２】
本発明の情報伝送装置は、情報を圧縮して伝送する情報伝送装置であって、所定の暗号鍵を生成し、前記暗号鍵を用いて情報を暗号化し、暗号化された情報および前記暗号鍵を第１の情報記録装置および第２の情報記録装置へ送出する暗号化部と、前記情報を受け取って、前記情報よりも情報量の少ない圧縮情報を生成し、前記第２の情報記録装置へ送出する圧縮部とを備える。
【００２３】
本発明の情報伝送プログラムは、第１の情報記録装置に記録された情報を第２の情報記録装置へ伝送する情報伝送プログラムであって、第１の情報記録装置に記録された情報を受け取って、前記情報よりも情報量の少ない圧縮情報を生成し、第２の情報記録装置へ送出するステップと、所定の暗号鍵を生成し、前記暗号鍵を前記第２の情報記録装置へ送出ステップと、前記第１の情報記録装置に記録された情報を前記暗号鍵によって暗号化し、暗号化された情報を前記第１の情報記録装置へ送出するステップと、前記第１の情報記録装置に記録された情報を消去させる第１の消去指令を前記第１の情報記録装置へ送出するステップとを包含する。
【００２４】
ある好ましい実施形態において、情報伝送プログラムは、前記第１の情報記録装置および前記第２の情報記録装置から前記暗号化された情報および前記暗号鍵をそれぞれ受け取り、前記暗号鍵を用いて前記暗号化された情報を復号するステップと、前記復号化された情報を前記第１の情報記録装置へ送出するステップと、前記第１の情報記録装置に記録された暗号化情報を消去させる第２の消去指令を前記第１の情報記録装置へ送出するステップと、前記第２の情報記録装置に記録された圧縮情報および暗号鍵を消去させる第３の消去指令を前記第２の情報記録装置へ送出するステップとをさらに包含する。
【００２５】
ある好ましい実施形態において、情報伝送プログラムは、前記第１の消去指令を前記第１の情報記録装置へ送出するステップを実行し、所定の時間を経過した後、前記第１の情報記録装置に記録された暗号化された情報を消去させる第４の消去指令を前記第１の情報記録装置へ送出するステップをさらに包含する。
【００２６】
ある好ましい実施形態において、前記暗号鍵は、前記圧縮情報の一部と置き換えられ、前記第２の情報記録装置へ送出される。
【００２７】
ある好ましい実施形態において、前記暗号鍵は、前記圧縮情報に基づいて決定される。
【００２８】
ある好ましい実施形態において、前記第１の情報記録装置に記録された情報はデジタル情報である。
【００２９】
ある好ましい実施形態において、前記第１の情報記録装置に記録された情報は映像音声情報である。
【００３０】
ある好ましい実施形態において、前記第１の情報記録装置は、ハードディスクドライブであり、前記第２の情報記録装置は、光ディスクドライブである。
【００３１】
ある好ましい実施形態において、前記圧縮情報を生成し、第２の情報記録装置へ送出するステップは、前記第１の情報記録装置に記録された情報をデコードし、前記第１の情報記録装置に記録されていたときの圧縮率よりも高い圧縮率で前記デコードした情報をエンコードする。
【発明の効果】
【００３２】
本発明によれば、情報の圧縮処理を含む情報の伝送を繰り返しおこなっても元の情報の品質を保つことが可能である。その結果、適切な情報管理を行いながら、ユーザのニーズに合わせた情報量の情報を転送させることができる。
【発明を実施するための最良の形態】
【００３３】
（第１の実施形態）
図１は、本発明による情報伝送装置の実施形態を示すブロック図である。情報伝達装置２００は、第１の情報記録装置３４から情報を受け取り、情報を圧縮し、第２の情報記録装置４へ圧縮情報を伝送する。第１の情報記録装置３４は、たとえば、ハードディスクドライブなどにより構成される。第１の情報記録装置３４は記憶容量が大きいほうが好ましい。第２の情報記録装置４は、たとえば、光ディスクを用いた光ディスクドライブ、不揮発性メモリを用いたメモリカード、記憶容量が比較的小さいハードディスクドライブなどにより構成される。本実施形態では、第２の情報記録装置４として、光ディスクドライブを採用している。第１の情報記録装置３４および第２の情報記録装置４は、少なくとも情報の記録が可能であり、記録された情報を消去あるいは読み出しできないよう無効化することができることが好ましい。本願明細書において、「情報を消去する」とは、記録装置に記録された情報を読み出しあるいは再生することができないようにすることをいう。第１の情報記録装置３４および第２の情報記録装置４は記録された情報を書き換えることのできる「書き換え可能型」であることがより好ましい。第１の情報記録装置３４および第２の情報記録装置４において、情報が記録される記録媒体は交換可能であってもよい。本実施形態では、第１の情報記録装置３４はハードディスクドライブであり、第２の情報記録装置は、書き換え型の光ディスク１を装填することができる光ディスクドライブである。
【００３４】
情報伝送装置２００が伝送する情報は、コンピュータ用データやプログラム、音声情報、映像情報、映像音声情報など、種々のデジタル情報であってもよい。情報伝送装置２００は、情報を圧縮して伝送するので、情報の利用形態によって異なる大きさの情報量が必要とされる映像音声情報を好適に扱うことができる。本実施形態では、第１の情報記録装置３４に、ＨＤ規格でデジタル化された映像音声情報（ＳＴ０）が記録されている。
【００３５】
図１に示すように、情報伝送装置２００は、コントローラ３０と、圧縮部３２と、暗号化部３３とを備える。コントローラ３０は、種々の指令を受け取って、圧縮部３２および暗号化部３３を制御する。また、第１の情報記録装置３４および第２の情報記録装置４に記録された情報を消去する指令を送出する。圧縮部３２は、第１の情報記録装置３４に記録された情報を受け取って、情報量の小さい圧縮情報を生成し、第２の情報記録装置４へ送出する。暗号化部は、所定の暗号鍵を生成し、暗号鍵を第２の情報記録装置４へ送出する。また、第１の情報記録装置に記録された情報を暗号鍵によって暗号化し、暗号化された情報を第１の情報記録装置３４へ送出する。コントローラ３０はマイクロプロセッサーによって構成されていてもよく、コントローラ３０から送出されるこれらの指令や圧縮部３２や暗号化部３３などの制御はプログラムによって実行されるものであってもよい。
【００３６】
情報伝送装置２００は、好ましくは、第２の情報記録装置４の圧縮情報を第１の情報記録装置３４へ伝送するために、復号化部３６を備える。図２を参照して以下で詳細に説明するように、復号化部３６は第１の情報記録装置３４および第２の情報記録装置４から暗号化された情報および暗号鍵をそれぞれ受け取り、暗号鍵を用いて暗号化された情報を復号（解読）する。さらに、第１の情報記録装置３４へ復号した情報を送出する。圧縮部３２、暗号化部３３および復号化部３６は、集積回路等を用いたハードウエアにより実現されていてもよいし、ソフトウエアにより実現することも可能である。
【００３７】
次に、図１を参照して、情報伝送装置２００が、第１の情報記録装置３４から第２の情報記録装置４へ情報を伝送する動作を詳細に説明する。
【００３８】
図１に示すように、第１の情報記録装置３４には、ＨＤ規格でデジタル化された映像音声情報ＳＴ０（以下、情報ＳＴ０と呼ぶ）が記録されている。コントローラ３０は外部からムーブ指令ＭＸを受け取り、以下の処理を行う。
【００３９】
まず、コントローラ３０は圧縮部３２へ圧縮実行指令ＤＸを送出する。圧縮部３２は第１の情報記録装置３４から情報ＳＴ０を受け取って、第１の情報記録装置３４に記録されていたときの情報ＳＴ０の情報量よりも小さな情報量の情報ＤＴＸを生成する。本実施形態の場合、ＨＤ規格の情報ＳＴ０を再エンコード法により、ＳＤ規格の情報ＤＴＸに変換（ダウンコンバート）する。より具体的には、圧縮部３２は、情報ＳＴ０を非圧縮の情報にまずデコードする。次に、このデコードされた情報を、さらに圧縮率を高めたエンコードを実行し、ＳＤ規格の情報に符号化する。圧縮部３２は、情報量が小さくなるように情報を変換する限り、他の方法やアルゴリズムを用いて情報を変換してもよい。たとえば、第１の情報記録装置３４に記録された情報がＳＤ規格の映像音声情報であり、圧縮部３２が、１の情報記録装置３４に記録された情報よりもビットレートの小さいＳＤ規格の映像音声情報にトランスコードしてもよい。
【００４０】
コントローラ３０はまた、暗号化部３３へ暗号化実行指令ＳＸを送出する。暗号化実行指令ＳＸに基づいて、暗号化部３３は第１の情報記録装置３４から情報ＳＴ０を受け取る。また、暗号鍵Ｘを生成し、暗号鍵Ｘに基づいて情報ＳＴ０を暗号化し、暗号化された情報ＳＴＸを生成する。生成した暗号鍵Ｘおよび暗号化された情報ＳＴＸは第２の情報記録装置４および第１の情報記録装置３４へ記録のために送出される。暗号化された情報ＳＴＸは、好ましくは元の情報ＳＴ０と同じ情報量を有している。
【００４１】
暗号化部３３における暗号化は、適当な暗号鍵Ｘを基底にスクランブルをかけたものでもよい。また、ＤＥＳ（Data Encryption Standard）やＡＥＳ（Advanced Encryption Standard）規格に準拠したものであってもよい。暗号鍵Ｘは情報ＤＴＸとともに光ディスクドライブ４へ送出され、内蔵されたヘッドにより、光ディスク１上に保存される。
【００４２】
図３は、暗号鍵Ｘと情報ＤＴＸの記録方法（フォーマット）の一例を示す。暗号鍵Ｘと情報ＤＴＸとを記録する場合、第２の情報記録装置４の光ディスク１にそれぞれに暗号鍵Ｘ用の領域と情報ＤＴＸ用の領域を設けてもよい。しかし、第２の情報記録装置４または、光ディスク１がこのような暗号鍵Ｘ用の領域を備えた記録方法に適合していない場合には、暗号鍵Ｘおよび情報ＤＴＸが正しく記録できない可能性がある。このため、本実施の形態では、従来光ディスクにおける記録方法と互換を保ちつつ暗号鍵Ｘを光ディスク１上に記録する方法を採用している。
【００４３】
図３に示すように、第１の情報記録装置３４に記録されていた情報ＳＴ０を圧縮し、情報ＤＴＸを生成する。次に暗号鍵Ｘを情報ＤＴＸの一部と置き換え、１つファイルからなる複合情報ＤＴＸ’とする。この情報ＤＴＸ’を第２の情報記録装置４の光ディスク１に記録する。暗号鍵Ｘは、好ましくは、情報ＤＴＸの先頭の一部と置き換えられている。このような方法によれば、第２の情報記録装置４および光ディスク１にとって情報ＤＴＸ’は従来のフォーマットと違いがないので、正しく情報を記録し、また、記録された情報を正しく再生することができる。一方、情報伝送装置２００は、情報ＤＴＸ’を受け取った場合、情報ＤＴＸ’の先頭にある暗号鍵Ｘを正しく抽出することができる。
【００４４】
なお、第２の情報記録装置４を用いて、情報ＤＴＸ’が記録された光ディスク１を再生した場合、第２の情報記録装置４は暗号鍵Ｘに対応していないため、情報ＤＴＸ’の再生時に暗号鍵Ｘが、たとえば映像情報として再生されることとなり、映像再生のごく最初にノイズを含む画像が表示される可能性がある。しかし、画像のデータ量に比べて、暗号鍵Ｘのデータ量は非常に少なく、ノイズが生じるとしても非常に短時間である。このため、情報ＤＴＸ’を再生して得られる画像と情報ＤＴＸを再生して得られる画像とに実質的な差異はほとんどない。
【００４５】
暗号鍵Ｘは種々の方法により生成させることができる。たとえば、暗号化部３３において、乱数を発生させ、暗号鍵Ｘとしてもよい。日付や時刻などの情報に基づいて、暗号鍵Ｘを生成してもよい。また、暗号鍵Ｘを情報ＤＴＸの先頭数ビットそのものとしてもよい。この場合、情報ＤＴＸ’は、暗号鍵Ｘを先頭の領域に含んでいない情報ＤＴＸと全く同一であり、従来の第２の情報記録装置４を用いて、正しく情報ＤＴＸ’を再生することができる。この場合、暗号鍵Ｘは情報ＳＴ０と圧縮部３２のアルゴリズムから一義的に決定する。しかし、情報ＳＴ０あるいはＤＴＸは、放送番組などであり、先頭数ビットのデータは、番組ごとあるいは情報ごとに異なっているため、実質的には問題は生じないと考えられる。また、暗号化された情報ＳＴＸを第１の情報記録装置３４から転送できないように第１の情報記録装置３４を構成することによって、より適切な情報管理を行うことができる。
【００４６】
第２の情報記録装置４へ情報ＤＴＸおよび暗号鍵Ｘを記録し、第１の情報記録装置３４へ暗号化された情報ＳＴＸを記録した後、コントローラ３０は第１の情報記録装置３４へ消去指令Ｅ０を送出する。これにより、情報ＳＴ０は消去される。
【００４７】
以上の処理によって第１の情報記録装置３４から第２の情報記録装置４への情報ＳＴ０の伝送が完了する。暗号化情報ＳＴＸは暗号鍵Ｘが無ければ、正しい情報として読み出せず、暗号鍵Ｘは、情報ＤＴＸとともに伝送先の第２の情報記録装置４にのみ記録あるいは固定されている。このため、情報ＳＴ０は、第１の情報記録装置３４においては実質的に消去されたのと同等であり、実質的にムーブがなされたとみなせる。つまり、情報ＳＴ０は、第１の情報記録装置３４から第２の情報記録装置４へ移動しており、コピーは生じていない。
【００４８】
なお、このような動作によって、第１の情報記録装置３４から第２の情報記録装置４へ情報を伝送しても、第１の情報記録装置３４には暗号化された情報が残る。このため、情報伝送装置２００によって情報を「ムーブ」しても第１の情報記録装置３４には、暗号化された情報が蓄積され続け、第１の情報記録装置３４の記録可能な容量が低下してしまう。このことが問題となる場合には、情報伝送装置２００にタイマー３５を設け、所定の時間が経過した後、暗号化された情報を削除してもよい。具体的には、タイマー３５は、コントローラ３０から起動指令ＴＯＮを受け取って、時間の計測を開始する。コントローラ３０から起動指令ＴＯＮを送出するタイミングは、前述のムーブ指令ＭＸと関連していてもよいし、暗号化情報ＳＴＸが第１の情報記録装置３４に記録された後でもよい。タイマー３５は、所定時間経過後、信号ＴＯＶＲをコントローラ３０へ送出する。コントローラ３０は、信号ＴＯＶＲに基づき、暗号化情報ＳＴＸを消去する指令ＥＸを第１の情報記録装置３４へ送出する。これにより、暗号化情報ＳＴＸが削除され、第１の情報記録装置３４の記録可能な容量が増加する。ここで所定時間は、たとえば、１週間から２週間程度に設定することができる。ユーザが１週間以上も以下で説明する「逆ムーブ」を実行しない場合、第２の情報記録装置４にムーブした情報ＤＴＸを恒久的に保存したい意志があると考えられるからである。しかし、様々な観点から、第１の情報記録装置３４に記録された暗号化された情報ＳＴＸを削除するタイミングを設定することができる。
【００４９】
次に、図２を参照して、第２の情報記録装置４に記録された情報ＤＴＸを第１の情報記録装置３４へ伝送する動作を説明する。この動作は「逆ムーブ」である。
【００５０】
コントローラ３０は外部から逆ムーブ指令ＭＸ’を受け取り、以下の処理を行う。コントローラ３０は、復号化部３６へ復号化指令ＳＹを送出する。復号化部３６は、第２の情報記録装置４から暗号鍵Ｘを読み出す。第２の情報記録装置４が暗号鍵Ｘを特定の領域に記録するような記録方法を採用していない場合、暗号鍵Ｘのみを第２の情報記録装置４は送出できない。この場合、暗号鍵Ｘが情報ＤＴＸに埋め込まれた情報ＤＴＸ’の全体、あるいは、暗号鍵Ｘを含む所定の先頭領域が第２の情報記録装置４から送出される。したがって、この場合には復号化部３６は暗号鍵Ｘのみを利用し、情報ＤＴＸは破棄される。
【００５１】
復号化部３６は、また、第１の情報記録装置３４から暗号化された情報ＳＴＸを受け取る。そして、暗号鍵Ｘを用いて、情報ＳＴＸを復号し、復号された情報ＳＴ１を生成する。生成された情報ＳＴ１は第１の情報記録装置３４に記録される。情報ＳＴ１は情報ＳＴ０と同じＨＤ規格の情報量を有している。
【００５２】
コントローラ３０はさらに第１の情報記録装置３４へ消去指令ＥＹを送出し、第１の情報記録装置３４に記録されていた情報ＳＴＸを消去する。また、コントローラ３０は第２の情報記録装置４へ消去指令Ｅ１を送出し、第２の情報記録装置４に記録されていた情報ＤＴＸおよび暗号鍵Ｘを消去する。これにより、第２の情報記録装置４記録されていた情報ＤＴＸは第１の情報記録装置３４へ伝送される。第２の情報記録装置４の情報ＤＴＸは消去されるので、情報ＤＴＸは、第２の情報記録装置４から第１の情報記録装置３４へ実質的に移動しており、コピーは生じていない。つまり「逆ムーブ」が行われる。また、伝送により、圧縮された情報ＤＴＸから圧縮されていない情報ＳＴ１が生成し、アップコンバートが行われる。
【００５３】
このように本実施の形態によれば、圧縮処理あるいはダウンコンバートを含みながら情報を欠損させることなく実質的なムーブを実行することができる。また、ムーブによって、同時に利用可能な２つ以上の情報を生成することがなく、情報のコピーを行わないので、適切な情報管理を行い、かつ、ユーザに優れた利便性を提供することができる。
【００５４】
本実施形態の情報伝送装置２００は、種々の形態で実施することができる。たとえば、第１の情報記録装置３４、第２の情報記録装置４および情報伝送装置２００を含む情報記録装置を実現してもよい。より具体的には、ハードディスクドライブおよび光ディスクドライブを備えたＤＶＤレコーダであってもよい。また、第１の情報記録装置３４、第２の情報記録装置４および情報伝送装置２００をそれぞれネットワークで接続したシステムを実現してもよい。
【００５５】
（第２の実施形態）
図４は、本発明のビデオサーバシステム３００の実施形態を示すブロック図である。ビデオサーバシステム３００は、サーバ１０とサーバ１３とを備える。サーバ１０とサーバ１３とはネットワーク１００により、相互に通信可能なように接続されている。本実施形態においては、サーバ１３が、特にサーバ１０から指令に基づいて、放送番組を受信し、ネットワーク１００を介してサーバ１０へ放送番組の映像音声情報を送出する。ビデオサーバシステム３００において、第1の実施形態と同じ構成要素には同じ参照部号を付している。サーバ１０は、コントローラ３と、第２の情報記録装置４とを含む。また、サーバ１３は、コントローラ３０と、圧縮部３２と、暗号化部３３と、第１の情報記録装置３４とチューナ１３１とを含む。
【００５６】
サーバ１０のコントローラ３は、サーバ１３へムーブコマンドＭＸに加え、番組の予約設定情報ＴＸを送出する。予約設定情報ＴＸは、放送局、番組の開始時刻および終了時刻、転送レート等を含む。コントローラ３０は予約設定情報ＴＸの指示通りにチューナ１３１を用いて放送番組の受信を開始する。サーバ１０が要求した転送レート（例えばＳＤ規格である８Ｍｂｐｓ）よりもサーバ１３のチューナ１３１が受信する番組の転送レートが上回っていた場合（例えばＨＤ規格である２２Ｍｂｐｓ）、受信番組の情報は圧縮部３２により圧縮され、圧縮情報ＤＴＸとしてサーバ１０に供給される。転送レートは番組の画質と関係があり、画像が精細であるほど、番組の転送レートも高い。サーバ１０が要求する転送レートは第２の情報記録装置４、または、第２の情報記録装置４に装填された光ディスク１が対応できる転送レートで決定される。例えば、光ディスク１もしくは第２の情報記録装置４が８Ｍｂｐｓ以下のＳＤ規格にしか対応していない場合や、光ディスク１および第２の情報記録装置４は高い転送レートに対応しているが、ユーザが、長い時間録画をしたいために、転送レートを小さく設定した場合などである。
【００５７】
この場合、第２の情報記録装置４へ放送番組を録画するために、受信されたＨＤ規格の番組の情報を圧縮しなければならない。しかし、サーバ１０が常に情報を圧縮する圧縮部を備えているとは限らない。サーバ１０が圧縮部を備えていない場合、情報の圧縮は、サーバ１３で行う必要がある。このとき、サーバ１３で受信した番組がムーブのみを認める放送番組である場合、サーバ１３でその放送番組の情報を圧縮すると、以降、その番組はＳＤ規格の画質でしか再生できなくなる。
【００５８】
そこで、本実施の形態においては、サーバ１３において、チューナ１３１によって受信された番組は圧縮部３２でＳＤ（８Ｍｂｐｓ）規格に圧縮され、情報ＤＴＸとしてネットワークへ送出されるとともに、ＨＤ（２２Ｍｂｐｓ）規格のまま暗号化回部３３によって暗号化され、情報ＳＴＸとして、サーバ１３の第１の情報記録装置３４に記録される。その際、暗号化部で生成する暗号鍵Ｘは、圧縮された情報ＤＴＸと共にネットワーク１００を介して第２の情報記録装置４に記録される。記録の方法や手順は第１の実施形態で説明したのと同様の方法および手順を用いる。
【００５９】
このようにすることによって、サーバ１３では、チューナ１３１で受信した放送番組の情報が圧縮され、第２の情報記録装置４へ送出される。また、放送番組の情報は暗号化されて第１の情報記録装置３４へ記録される。これは、放送番組の情報がはじめに第１の情報記録装置３４に記録されていなかった点を除けば、第１の実施形態の「ムーブ」に相当する。
【００６０】
この番組をＨＤ規格のままの高画質で視聴したい場合は、サーバ１０の第２の情報記録装置４から暗号鍵Ｘをサーバ１３へ送出すれば、第１の実施形態で説明したように「逆ムーブ」が行われ、第１の情報記録装置３４にＨＤ規格の画質を保った番組の情報が復元される。
【００６１】
なお、本実施形態でいう、「暗号鍵」とは、第１の実施形態で説明した暗号と同じであり、放送業者もしくはコンテンツプロバイダーによって予め付加されているもの（例えばＣＰＲＭ、Content Protection for Recordable Media）を意味していない。暗号鍵Ｘは、サーバ１３とサーバ１０との間でのみ取り決められ使用される。したがって暗号鍵Ｘはサーバ１３によって任意に作成してもよい。
【００６２】
このように本実施の形態によれば、サーバ間でダウンコンバートが発生しても、情報を欠損させることなく番組をムーブすることが可能な分散型ビデオサーバシステムを実現することができる。
【００６３】
なお、第１の実施形態および第２の実施形態では、映像音声情報を例示して説明したが、本発明は映像音声情報以外の大容量または高品質のデータを、それよりは小容量又は低品質のデータ（圧縮データ）として転送した後でも、大容量又は高品質データの復元を可能とする装置やシステムの好適に用いることができる。
【００６４】
また、暗号鍵Ｘは、圧縮データＤＴＸとともに転送される場合を説明したが、鍵Ｘが圧縮データＤＴＸに付加されて記録する必要がない場合（対応付けがされているだけで十分な場合）は、鍵Ｘと圧縮データＤＴＸの転送は同時である必要はない。
【産業上の利用可能性】
【００６５】
本発明は、情報の圧縮あるいはダウンコンバートをともなう種々の情報伝送装置や、分散型ビデオサーバシステム、ＨＤＤ内蔵の光ディスクレコーダ、あるいは複数のレコーダよりなるホームＡＶサーバなどに好適に用いられる。
【図面の簡単な説明】
【００６６】
【図１】本発明による情報伝送装置の実施形態を示すブロック図であり、第１の情報記録装置から第２の情報記録装置へ情報を伝送する動作を説明している。
【図２】本発明による情報伝送装置の実施形態を示すブロック図であり、第２の情報記録装置から第１の情報記録装置へ情報を伝送する動作を説明している。
【図３】暗号鍵Ｘと圧縮情報ＤＴＸの記録方法の一例を示す模式図である。
【図４】本発明によるビデオサーバシステムの実施形態を示すブロック図である。
【符号の説明】
【００６７】
１  光ディスク
３  コントローラ
４  光ディスクドライブ
１０  サーバ
１３  サーバ
３０  コントローラ
３２  ダウンコンバーター
３３  暗号化部
３４  ハードディスク装置（ＨＤＤ）
３５  タイマー
３６  復号化部
１００  ネットワーク
１３１  チューナ
【図１】
2005158233.tif 000003
【図２】
2005158233.tif 000004
【図３】
2005158233.tif 000005
【図４】
2005158233.tif 000006